(57)【要約】【課題】  ポータブルゲーム機などの画面に何度も貼り付けが可能で粘着剤が残留せず、吸着力も低下しないで画面が保護できると共に画面の汚れを拭うことができる保護カバーを提供する【課題を解決する手段】  超極細繊維布と吸着性を有するアクリル系のポリマーシートとを貼り合わせて複合シート状の画面保護カバーを形成し、ポータブルゲーム機などの非使用時には画面保護のため常時、ポリマーシート側を画面に吸着保持させ保護カバーとして利用する。ポータブルゲーム機などの使用時には画面以外の機器本体に吸着保持させておく。  画面の汚れを拭う際は、本カバーを引き剥がし超極細繊維布側を画面に押しつけて拭き取るようにする。【選択図】  図１
0003126948.tif 000002
【実用新案登録請求の範囲】
【請求項１】
ポータブルゲーム機やｉ−ｐｏｄなどのような持ち運びが可能な電子機器の画面汚れを表面側で拭き取ることができ、裏面側で画面に吸着保持させて、画面の保護を行うことができることを特徴とするポータブル電子機器用の画面保護シート
【請求項２】
表面側が拭き取り性を有する超極細繊維布で構成され、裏面側が微細気泡の吸盤作用により吸着性を有するアクリル系のポリマーシートで構成されていることを特徴とする第1項記載のポータブル電子機器用の画面保護シート
【考案の詳細な説明】
【技術分野】
【０００１】
本考案は表面側でポータブルゲーム機やｉ−ｐｏｄ等のように持ち運びが可能な電子機器の画面汚れを拭き取ることができるとともに、裏面側を画面に吸着保持させて蓋がなくても画面を保護することができるポータブル電子機器用の画面保護シートに関するものである。
【背景技術】
【０００２】
従来からメガネなどの汚れ拭き取り用に超極細繊維から成る織物が使用されている。また携帯電話機の画面の汚れを拭き取るために、このような織物や不織布の裏面に微細気泡の吸盤作用により吸着性を有するアクリル系のポリマーシートを貼り合わせて、携帯電話機の本体に対して着脱可能にしたシートなども提案されている。このシートは拭き取り時以外、常時携帯電話機の本体にアクリル系のポリマーシート側でもって吸着保持させておくことができ、粘着剤などで貼り付けないため機器本体に糊跡がつかないという利点がある。本考案はこのような複合シートをポータブルゲーム機やｉ−ｐｏｄ等のような持ち運びが可能で蓋がない電子機器の画面の汚れ拭き取りと画面の保護を目的に応用しようとするものである。
【考案の開示】
【考案が解決しようとする課題】
【０００３】
ポータブルゲーム機やｉ−ｐｏｄなどを電車内などで使用中に、慌てて降車する場合があり、その際、これらをハンドバッグや鞄などに直接入れてしまうため、これらの画面に傷が着きやすいと言う問題が生じている。とくに最近ではポータブルゲーム機の場合テレビ画面を兼ね備えるようになったため画面が大きくなり、より傷が着き易くなってきている。このような画面の傷を防止するための適当な保護具はとくに今まで考案されていなかった。
【０００４】
本考案はポータブルゲーム機などの画面に対して何度も貼り直しが効き、かつ、いつまでも吸着力が低下しない状態で画面が保護できる保護シートを提供することを課題とし、さらに、表面に超極細繊維布を用いることにより、画面の汚れを拭うこともできる保護シートを提供することにある。超極細繊維布として織物を使用する場合はやや寸法安定性に劣る欠点はあるが、高級感があり、印刷も鮮明にできるという利点がある。
一方、超極細繊維布として不織布を使用する場合は、印刷、裁断、打ち抜機加工などに際して、寸法安定性に優れ、布目のほつれや、埃などが発生しにくいという利点がある。
【課題を解決するための手段】
【０００５】
上記のような課題を解決するため、超極細繊維布と微細気泡の吸盤作用により吸着性を有するアクリル系のポリマーシートとを貼り合わせて成る保護シートを考案した。さらに超極細繊維布として不織布を用いる保護シートを考案した。
【考案の効果】
【０００６】
上記のように、本考案におけるポータブル電子機器用画面保護シートは裏面に粘着剤を使用していないため粘着剤が被貼着面である画面や機器本体に残留しないと言う利点を有する。
【０００７】
さらに、表面側の繊超極細繊維布として織物を使用する場合は高級感があり、印刷も鮮明にできるという利点が生じる。
一方、超極細繊維布として不織布を使用する場合には、印刷、裁断、打ち抜機加工などに際して、寸法安定性に優れ、布目のほつれや、埃などが発生しにくいという利点が生じる。このような本考案の保護シートの表面側には種々の印刷を施すことができるため、ゲームキャラクターや広告などを随時印刷することにより、商品性を高めることができる。
【考案を実施するための最良の形態】
【０００８】
以下、本考案の実施例を図面に従って説明する。図1は本考案の保護シートの斜視図である。ここで1は超極細繊維布を示す。この超極細繊維を使用した織物の例としては（株）ＫＢセーレン社製のベルーマＸを原糸として使ったザウイーナミニマックスがある。その他、東レ（株）製のトレシーミラクルクロス、ユニチカ（株）製のミューフェスなどが挙げられる。さらに超極細繊維の不織布の例としては日本バイリーン社製のバイフレッシャー、アポロン並びに同社製の静電気除去性能を併せ持つ「電気とーる」などが挙げられる。
【０００９】
２は表面に微細気泡を有する吸着性のアクリル系ポリマーシートを示す。ここで用いられるアクリル系のポリマーシートはポリマー表面の微細気泡が吸盤のように作用して平滑な表面に吸着する。このようなシートの例として、大成ラミネーター株式会社製のセロピー５５５が挙げられる。このポリマーシートは発泡倍率が1．5倍程度の低発泡フォームからなる。このシートは厚さ、０．５ｍｍ、５０ｍｍ角で対ガラス、０．１５ｋｇ程度のピーリング剥離強さを示す。
【００１０】
３は繊維布とポリマーシートとを貼り合わせるために用いられる粘着剤又は接着剤を示す。
ここで、超極細繊維層とポリマーシートとの間に補強を目的として、フイルム４を挿入しても良い。材質としてはポリエステル、ポリアミド、ポリプロピレンなどの樹脂フイルムが挙げられるが、なかではポリエステルが最も適している。フイルムの厚みはとくに限定されることはないが、１００μｍ以下が好ましい。２０μｍ以下の場合はシートに柔軟性が保持されるためとくに好ましい。
【００１１】
本考案の保護シートの使い方は、例えば、図４のようにポータブルゲーム機の使用時には画面以外の機器本体にポリマーシート側で吸着保持させておき、画面の汚れを拭き取る際に図２のように保護シートを画面若しくは本体から引き剥がして図３のように表面側の超極細繊維布を画面に押しつけて拭う。
【００１２】
また、ゲーム機の使用を終了した時点で、裏面側のポリマーシートを画面に吸着保持させておくことにより、画面に傷が着くことを防止することができる。
【図面の簡単な説明】
【００１３】
【図１】本考案のポータブルゲーム機用保護シートの斜視図である。
【図２】本考案のポータブルゲーム機用保護シートを画面から引き剥がしている状態を示す。
【図３】本考案のポータブルゲーム機用保護シートの表面側で画面の汚れを拭っている状態を示す。
【図４】ポータブルゲーム機使用時に、本考案のポータブルゲーム機用保護シートを本体に吸着保持させている状態を示す。
【００１４】
１  超極細繊維布
２  アクリル系ポリマーシート
３  粘着剤又は接着剤
４  補強用フイルム
５  保護シート
６  ポータブルゲーム機
７  画面
【図１】
0003126948.tif 000003
【図２】
0003126948.tif 000004
【図３】
0003126948.tif 000005
【図４】
0003126948.tif 000006
【手続補正書】
【提出日】平成18年9月8日(2006.9.8)
【手続補正１】
【補正対象書類名】実用新案登録請求の範囲
【補正対象項目名】全文
【補正方法】変更
【補正の内容】
【実用新案登録請求の範囲】
【請求項１】
拭き取り性を有する超極細繊維布と微細気泡の吸盤作用により吸着性を有するアクリル系のポリマーシートとを貼り合わせて形成されたことを特徴とするポータブル電子機器用の画面保護カバー
【請求項２】
超極細繊維布とポリアクリル系のポリマーシートが補強フイルムを介して粘着剤又は接着剤により一体に形成されてなることを特徴とする請求項1記載のポータブル電子機器用の画面保護カバー
【手続補正２】
【補正対象書類名】明細書
【補正対象項目名】全文
【補正方法】変更
【補正の内容】
【考案の詳細な説明】
【技術分野】
【０００１】
本考案は表面側でポータブルゲーム機やｉ−ｐｏｄ（登録商票）等のように持ち運びが可能な電子機器の画面汚れを拭き取ることができるとともに、裏面側を画面に吸着保持させて蓋がなくても画面を保護することができるポータブル電子機器用の画面保護カバーに関するものである。
【背景技術】
【０００２】
従来からメガネなどの汚れ拭き取り用に超極細繊維から成る織物が使用されている。また携帯電話機の画面の汚れを拭き取るために、このような織物や不織布の裏面に微細気泡の吸盤作用により吸着性を有するアクリル系のポリマーシートを貼り合わせて、携帯電話機の本体に対して着脱可能にしたシートなども提案されている。このシートは拭き取り時以外、常時携帯電話機の本体にアクリル系のポリマーシート側でもって吸着保持させておくことができ、粘着剤などで貼り付けないため機器本体に糊跡がつかないという利点がある。本考案はこのような複合シートをポータブルゲーム機やｉ−ｐｏｄ（登録商票）等のような持ち運びが可能で蓋がない電子機器の画面の汚れ拭き取りと画面の保護を目的に応用しようとするものである。
【考案の開示】
【考案が解決しようとする課題】
【０００３】
ポータブルゲーム機やｉ−ｐｏｄ（登録商票）などを電車内などで使用中に、慌てて降車する場合があり、その際、これらをハンドバッグや鞄などに直接入れてしまうため、これらの画面に傷が着きやすいと言う問題が生じている。とくに最近ではポータブルゲーム機の場合テレビ画面を兼ね備えるようになったため画面が大きくなり、より傷が着き易くなってきている。このような画面の傷を防止するための適当な保護具はとくに今まで考案されていなかった。
【０００４】
本考案はポータブルゲーム機などの画面に対して何度も貼り直しが効き、かつ、いつまでも吸着力が低下しない状態で画面が保護できる保護カバーを提供することを課題とし、さらに、表面に超極細繊維布を用いることにより、画面の汚れを拭うこともできる保護カバーを提供することにある。超極細繊維布として織物を使用する場合はやや寸法安定性に劣る欠点はあるが、高級感があり、印刷も鮮明にできるという利点がある。
一方、超極細繊維布として不織布を使用する場合は、印刷、裁断、打ち抜機加工などに際して、寸法安定性に優れ、布目のほつれや、埃などが発生しにくいという利点がある。
【課題を解決するための手段】
【０００５】
上記のような課題を解決するため、超極細繊維布と微細気泡の吸盤作用により吸着性を有するアクリル系のポリマーシートとを貼り合わせて成る複合シートを考案した。さらに超極細繊維布として不織布を用いる保護カバーを考案した。
【考案の効果】
【０００６】
上記のように、本考案におけるポータブル電子機器用画面保護カバーは裏面に粘着剤を使用していないため粘着剤が被貼着面である画面や機器本体に残留しないと言う利点を有する。
【０００７】
さらに、表面側の超極細繊維布として織物を使用する場合は高級感があり、印刷も鮮明にできるという利点が生じる。
一方、超極細繊維布として不織布を使用する場合には、印刷、裁断、打ち抜機加工などに際して、寸法安定性に優れ、布目のほつれや、埃などが発生しにくいという利点が生じる。このような本考案の保護カバーの表面側には種々の印刷を施すことができるため、ゲームキャラクターや広告などを随時印刷することにより、商品性を高めることができる。
【考案を実施するための最良の形態】
【０００８】
以下、本考案の実施例を図面に従って説明する。図1は本考案の保護カバーの斜視図である。ここで1は超極細繊維布を示す。この超極細繊維を使用した織物の例としては（株）ＫＢセーレン社製のベルーマＸを原糸として使ったザウイーナミニマックスがある。その他、東レ（株）製のトレシーミラクルクロス、ユニチカ（株）製のミューフェスなどが挙げられる。さらに超極細繊維の不織布の例としては日本バイリーン社製のバイフレッシャー、アポロン並びに同社製の静電気除去性能を併せ持つ「電気とーる」などが挙げられる。
【０００９】
２は表面に微細気泡を有する吸着性のアクリル系ポリマーシートを示す。ここで用いられるアクリル系のポリマーシートはポリマー表面の微細気泡が吸盤のように作用して平滑な表面に吸着する。このようなシートの例として、大成ラミネーター株式会社製のセロピー５５５が挙げられる。このポリマーシートは発泡倍率が1．5倍程度の低発泡フォームからなる。このシートは厚さ、０．５ｍｍ、５０ｍｍ角で対ガラス、０．１５ｋｇ程度のピーリング剥離強さを示す。
【００１０】
３は繊維布とポリマーシートとを貼り合わせるために用いられる粘着剤又は接着剤を示す。
ここで、超極細繊維布とポリマーシートとの間に補強を目的として、フイルム４を挿入しても良い。材質としてはポリエステル、ポリアミド、ポリプロピレンなどの樹脂フイルムが挙げられるが、なかではポリエステルが最も適している。フイルムの厚みはとくに限定されることはないが、１００μｍ以下が好ましい。２０μｍ以下の場合は保護カバーに柔軟性が保持されるためとくに好ましい。
【００１１】
本考案の保護カバーの使い方は、例えば、図４のようにポータブルゲーム機の使用時には画面以外の機器本体にポリマーシート側で吸着保持させておき、画面の汚れを拭き取る際に図２のように保護カバーを画面若しくは本体から引き剥がして図３のように表面側の超極細繊維布を画面に押しつけて拭う。
【００１２】
また、ゲーム機の使用を終了した時点で、裏面側のポリマーシートを画面に吸着保持させておくことにより、画面に傷が着くことを防止することができる。
【図面の簡単な説明】
【００１３】
【図１】本考案のポータブルゲーム機用保護カバーの斜視図である。
【図２】本考案のポータブルゲーム機用保護カバーを画面から引き剥がしている状態を示す。
【図３】本考案のポータブルゲーム機用保護カバーの表面側で画面の汚れを拭っている状態を示す。
【図４】ポータブルゲーム機使用時に、本考案のポータブルゲーム機用保護カバーを本体に吸着保持させている状態を示す。
【００１４】
１  超極細繊維布
２  アクリル系ポリマーシート
３  粘着剤又は接着剤
４  補強用フイルム
５  保護カバー
６  ポータブルゲーム機
７  画面
【手続補正３】
【補正対象書類名】図面
【補正対象項目名】図１
【補正方法】変更
【補正の内容】
【図１】
0003126948.tif 000007